(57)【要約】【課題】苗供給装置が備えられる移植機のステップ上に肥料タンクを配置するにあたり、良好な乗降性を確保する。【解決手段】左右両側部に補助ステップ１７を有する走行機体１と、走行機体１の後部に設けられる植付作業機３と、機体前方から機体後部まで予備苗を搬送する予備苗供給コンベア７と、肥料を貯留する補助肥料タンク１９とを備える乗用型田植機において、走行機体１の左右いずれか一方の側部に沿って予備苗供給コンベア７を配置すると共に、左右の補助ステップ１７のうち、予備苗供給コンベア７が配置される側の補助ステップ１７上に補助肥料タンク１９を配置する。【選択図】図１
2008173029.tif 000002
【特許請求の範囲】
【請求項１】
左右両側部にステップを有する走行機体と、走行機体の後部に設けられる植付作業機と、機体前方から機体後部まで予備苗を搬送する苗供給装置と、肥料を貯留する肥料タンクと、を備える移植機において、
前記走行機体の左右いずれか一方の側部に沿って苗供給装置を配置すると共に、左右のステップのうち、苗供給装置が配置される側のステップ上に肥料タンクを配置したことを特徴とする移植機。
【請求項２】
前記苗供給装置に、上方に変位自在な上方変位部を備えると共に、肥料タンクの肥料供給口を、苗供給装置の上方変位部に臨ませたことを特徴とする請求項１記載の移植機。
【請求項３】
前記肥料タンクは、主肥料タンクとは別に補助的に設けられる補助肥料タンクであり、前方が主肥料タンク、下方がステップ、上方が苗供給装置で囲まれた空間内に配置されることを特徴とする請求項１又は２記載の移植機。
【発明の詳細な説明】
【技術分野】
【０００１】
本発明は、機体前方から機体後部まで予備苗を搬送する苗供給装置や、肥料を貯留する肥料タンクが備えられた乗用型田植機などの移植機に関する。
【背景技術】
【０００２】
乗用型田植機などの移植機の機体側部に設けられ、機体前方から機体後部まで予備苗（マット苗＋苗箱）を搬送する予備苗供給コンベア（苗供給装置）が知られている。例えば、特許文献１に記載される予備苗供給コンベアは、左右枠の間に転動ローラを多数設けたローラコンベアからなり、畦際からコンベア前端部に供給される予備苗を連続的に機体後部まで搬送するようになっている。これにより、手渡しによる畔際から機体上への予備苗供給が不要になるだけでなく、機体上におけるオペレータの移動量も減らすことができる。
【０００３】
また、近年では、施肥装置を備える移植機が増えてきている。例えば、特許文献２に記載される移植機には、浅層施肥用の肥料を貯留するフロント施肥タンク（主肥料タンク）と、深層施肥用の肥料を貯留するリヤ施肥タンク（補助肥料タンク）とが備えられており、各施肥タンクに貯留された２種類の肥料を圃場の異なる層に施肥するようになっている。
【０００４】
【特許文献１】特開２００５−１７６６８０号公報
【特許文献２】特許第３３７２７３８号公報
【発明の開示】
【発明が解決しようとする課題】
【０００５】
特許文献２に示されるように、圃場の浅層と深層に異なる肥料を施肥する場合や、肥料のストック量を増量したい場合には、補助肥料タンクを別途備える必要がある。このとき、補助肥料タンクを走行機体の座席後方やステップ上に配置すると、補助肥料タンクが機体から大きくはみ出すことを回避し得るが、補助肥料タンクを座席後方に配置した場合には、植付作業機に対する苗補給に際して補助肥料タンクが邪魔になる惧れがあるだけでなく、肥料供給口が畦から遠くなり肥料補給の作業性が低下する可能性がある。
【０００６】
一方、補助肥料タンクをステップ上に配置した場合には、補助肥料タンクによって機体への乗降が妨げられる可能性があるため、特許文献２のように、補助肥料タンクを変位させる機構が必要になるという問題がある。また、特許文献１のような苗供給装置を備える移植機では、ステップ上に補助肥料タンクを配置すると、機体への乗降に際して、補助肥料タンクの変位操作だけでなく、苗供給装置の変位操作も要求され、乗降性が大幅に低下する惧れがある。
【課題を解決するための手段】
【０００７】
本発明は、上記の如き実情に鑑みこれらの課題を解決することを目的として創作されたものであって、左右両側部にステップを有する走行機体と、走行機体の後部に設けられる植付作業機と、機体前方から機体後部まで予備苗を搬送する苗供給装置と、肥料を貯留する肥料タンクと、を備える移植機において、前記走行機体の左右いずれか一方の側部に沿って苗供給装置を配置すると共に、左右のステップのうち、苗供給装置が配置される側のステップ上に肥料タンクを配置したことを特徴とする。このようにすると、苗供給装置が備えられる移植機のステップ上に肥料タンクを配置するにあたり、走行機体の一方の側部に苗供給装置及び肥料タンクを集約し、走行機体の他方の側部には苗供給装置及び肥料タンクを配置しないようにしたので、走行機体の他方の側部から機体の乗降を容易に行うことができる。
また、前記苗供給装置に、上方に変位自在な上方変位部を備えると共に、肥料タンクの肥料供給口を、苗供給装置の上方変位部に臨ませたことを特徴とする。このようにすると、苗供給装置の下方近傍に肥料タンクを配置しても、苗供給装置の上方変位部を上方に変位させれば、肥料タンクに対する肥料供給を容易に行うことができる。
また、前記肥料タンクは、主肥料タンクとは別に補助的に設けられる補助肥料タンクであり、前方が主肥料タンク、下方がステップ、上方が苗供給装置で囲まれた空間内に配置されることを特徴とする。このようにすると、補助肥料タンクを機体側部の比較的低い位置に配置できるので、機体の重量バランスに悪影響を与え難いものとできる。
【発明を実施するための最良の形態】
【０００８】
次に、本発明の実施形態について、図面に基づいて説明する。図１〜図４において、１は乗用型田植機（移植機）の走行機体であって、該走行機体１の後部には、昇降リンク機構２を介して植付作業機３が連結されている。植付作業機３には、前高後低状に傾斜した苗載台４が設けられ、ここに複数のマット苗が左右並列状に載置される。苗載台４に載置されたマット苗は、苗載台４の傾斜や縦送り機構５の送り作用により苗載台４の下端部まで移送される。苗載台４の下端部近傍には、植付爪を備える植付機構６が設けられており、この植付機構６によってマット苗が分離され、圃場に植え付けられる。
【０００９】
図１及び図２に示すように、走行機体１の側部には、機体前方から機体後部まで予備苗（苗箱に収容されたマット苗）を搬送する予備苗供給コンベア（苗供給装置）７が設けられている。本実施形態の予備苗供給コンベア７は、左右枠８と、左右枠８を一体的に連結する前後枠９と、左右枠８間に所定の隙間を存して複数並設される転動ローラ１０とを備えるローラコンベアからなり、前高後低状に緩やかに傾斜する姿勢で機体側部に沿って配置されている。これにより、予備苗を畔際から供給する際、予備苗供給コンベア７の前端部に予備苗を順次載せるだけで、複数の予備苗を機体後部まで連続的に供給することが可能になる。
【００１０】
また、本実施形態の予備苗供給コンベア７は、機体側部に立設されるステー１１に対して固定状態で取り付けられる中間コンベア１２と、中間コンベア１２の前端部に上方変位自在（Ａ支点の上下回動）に連結される前側コンベア（上方変位部）１３と、中間コンベア１２の後端部に上方変位自在（Ｂ支点の上下回動）に連結される後側コンベア（上方変位部）１４とを備えて構成されており、予備苗非供給時には、前側コンベア１３や後側コンベア１４を上方に変位させて中間コンベア１２上に折り畳むことができると共に、折り畳んだコンベア上やコンベア間にも、予備苗を載置できるようになっている。
【００１１】
図１〜図４に示すように、走行機体１の上部には、主ステップ（フロアステップ部１５ａ、立ち上がり部１５ｂ、リヤステップ部１５ｃ）を形成する機体カバー１５が備えられている。機体カバー１５の中央部には、座席１６が取り付けられており、この座席１６の前方及び側方前部を囲むようにフロアステップ部１５ａが形成され、また、フロアステップ部１５ａの左右両側部から後方に連続するように立ち上がり部１５ｂが形成され、さらに、立ち上がり部１５ｂに連続するようにリヤステップ部１５ｃが形成されている。
【００１２】
さらに、走行機体１の左右両側部には、主ステップを拡張する補助ステップ１７が備えられている。図５及び図６に示すように、本実施形態の補助ステップ１７は、機体カバー１５のフロアステップ部１５ａを外側方に拡張するフロアステップ部１７ａと、機体カバー１５の立ち上がり部１５ｂを外側方に拡張する立ち上がり部１７ｂと、機体カバー１５のリヤステップ部１５ｃを外側方に拡張するリヤステップ部１７ｃとを備えている。
【００１３】
本実施形態では、上記のような補助ステップ１７を形成するにあたり、ステップ本体は金属製の枠体とし、足踏み部は樹脂製の足踏み板（すのこ板）１７ｄとしている。具体的には、補助ステップ１７のフロアステップ部１７ａ及びリヤステップ部１７ｃに形成される凹部１７ｅに足踏み板１７ｄを嵌め込み、ボルト１７ｆで固定している。
【００１４】
図１〜図４、図７、図８に示すように、走行機体１には、三つの肥料タンク１８、１９が備えられている。機体前部の左右両側部に設けられる二つの肥料タンク１８は、浅層施肥用の肥料（例えば、速効性の液状肥料）を貯留する主肥料タンク１８であり、機体後部の一側部に設けられる肥料タンク１９は、深層施肥用の肥料（例えば、遅効性の液状肥料）を貯留するために補助的に設けられる補助肥料タンク１９である。図７及び図８に示すように、主肥料タンク１８に貯留される肥料は、パイプ２０を介して施肥ポンプ２１で吸引されると共に、ホース２２を介して浅層用施肥ノズル２３に供給され、ここから圃場の浅層に吐出される。また、補助肥料タンク１９に貯留される肥料は、パイプ２４を介して施肥ポンプ２５で吸引されると共に、ホース２６を介して深層用施肥ノズル２７に供給され、ここから圃場の深層に吐出される。なお、１８ａ、１９ａは肥料タンク１８、１９の上部に形成される肥料供給口（蓋）である。
【００１５】
本発明の実施形態に係る乗用型田植機では、走行機体１に上記の補助肥料タンク１９を配置するにあたり、走行機体１の左右いずれか一方の側部（本実施形態では左側部）に沿って予備苗供給コンベア７を配置すると共に、左右の補助ステップ１７のうち、予備苗供給コンベア７が配置される側の補助ステップ１７上に補助肥料タンク１９を配置する構成とした。つまり、予備苗供給コンベア７が備えられる乗用型田植機の補助ステップ１７上に補助肥料タンク１９を配置するにあたり、走行機体１の一方の側部に予備苗供給コンベア７及び補助肥料タンク１９を集約し、走行機体１の他方の側部には予備苗供給コンベア７及び補助肥料タンク１９を配置しないようにしたので、走行機体１の他方の側部から機体の乗降を容易に行うことができる。
【００１６】
また、予備苗供給コンベア７及び補助肥料タンク１９を上記のように配置する場合には、補助肥料タンク１９の肥料供給口１９ａを、予備苗供給コンベア７の後側コンベア１４に臨ませることが好ましい。このようにすると、予備苗供給コンベア７の下方近傍に補助肥料タンク１９を配置しても、予備苗供給コンベア７の後側コンベア１４を上方に変位させれば、補助肥料タンク１９に対する肥料供給を容易に行うことができる。
【００１７】
また、予備苗供給コンベア７及び補助肥料タンク１９を上記のように配置する場合、補助肥料タンク１９は、前方が主肥料タンク１８、下方が補助ステップ１７、上方が予備苗供給コンベア７で囲まれた空間内に配置されることが好ましい。このようにすると、補助肥料タンク１９を機体側部の比較的低い位置に配置できるので、機体の重量バランスに悪影響を与え難いものとできる。しかも、本実施形態では、補助肥料タンク１９の下部前後幅を上部前後幅に比して小さくし、補助肥料タンク１９の下部を補助ステップ１７のリヤステップ部１７ｃよりも下方に位置させているので、補助肥料タンク１９の取付け高さをより低くできるという利点がある。
【００１８】
補助肥料タンク１９は、タンクステー２８を介して補助ステップ１７に取り付けられている。図９〜図１１に示すように、本実施形態のタンクステー２８は、補助肥料タンク１９を保持するステー本体２８ａと、補助ステップ１７に固定される前後一対の取付板２８ｂとを備えて構成されている。取付板２８ｂは、平面形状が足踏み板１７ｄと略同一としてある。これにより、補助ステップ１７のフロアステップ部１７ａ及びリヤステップ部１７ｃに形成される既存の凹部１７ｅを利用し、ここに足踏み板１７ｄに代えて取付板２８ｂを固定することにより、タンクステー２８の取り付けが可能になる。また、取付板２８ｂには、パイプ挿通孔２８ｃが形成されており、このパイプ挿通孔２８ｃに前記パイプ２４を挿通すれば、補助肥料タンク１９を短距離で施肥ポンプ２５に接続することができる。
【００１９】
ところで、本実施形態では、図７に示すように、予備苗供給コンベア７や補助肥料タンク１９が配置されない側の補助ステップ１７の下方に燃料タンク２９を配置している。このようにすると、予備苗供給コンベア７や補助肥料タンク１９による機体バランスの偏りを可及的に相殺し、良好な走行性能を維持することができる。
【００２０】
叙述の如く構成された本実施形態によれば、左右両側部に補助ステップ１７を有する走行機体１と、走行機体１の後部に設けられる植付作業機３と、機体前方から機体後部まで予備苗を搬送する予備苗供給コンベア７と、肥料を貯留する補助肥料タンク１９とを備える乗用型田植機において、走行機体１の左右いずれか一方の側部に沿って予備苗供給コンベア７を配置すると共に、左右の補助ステップ１７のうち、予備苗供給コンベア７が配置される側の補助ステップ１７上に補助肥料タンク１９を配置したので、予備苗供給コンベア７が備えられる乗用型田植機の補助ステップ１７上に補助肥料タンク１９を配置するにあたり、走行機体１の一方の側部に予備苗供給コンベア７び補助肥料タンク１９を集約し、走行機体１の他方の側部には予備苗供給コンベア７及び補助肥料タンク１９が配置されないことになり、その結果、走行機体１の他方の側部から機体の乗降を容易に行うことができる。
【００２１】
また、予備苗供給コンベア７に、上方に変位自在な後側コンベア１４を備えると共に、補助肥料タンク１９の肥料供給口１９ａを、予備苗供給コンベア７の後側コンベア１４に臨ませたので、予備苗供給コンベア７の下方近傍に補助肥料タンク１９を配置しても、予備苗供給コンベア７の後側コンベア１４を上方に変位させれば、補助肥料タンク１９に対する肥料供給を容易に行うことができる。
【００２２】
また、補助肥料タンク１９は、前方が主肥料タンク１８、下方が補助ステップ１７、上方が予備苗供給コンベア７で囲まれた空間内に配置されるので、補助肥料タンク１９を機体側部の比較的低い位置に配置し、機体の重量バランスに悪影響を与え難いものとできる。
【図面の簡単な説明】
【００２３】
【図１】乗用型田植機の平面図である。
【図２】乗用型田植機の側面図である。
【図３】予備苗供給コンベアが外された状態を示す乗用型田植機の平面図である。
【図４】予備苗供給コンベアが外された状態を示す乗用型田植機の側面図である。
【図５】補助ステップの平面図である。
【図６】補助ステップの側面図である。
【図７】施肥装置の構成を示す乗用型田植機の平面図である。
【図８】施肥装置の構成を示す乗用型田植機の側面図である。
【図９】（Ａ）はタンクステーの平面図、（Ｂ）はタンクステーの正面図、（Ｃ）はタンクステーの側面図である。
【図１０】（Ａ）はタンクステーに取付けられた補助肥料タンクの平面図、（Ｂ）はタンクステーに取付けられた補助肥料タンクの正面図、（Ｃ）はタンクステーに取付けられた補助肥料タンクの側面図である。
【図１１】（Ａ）はタンクステーが取付けられた補助ステップの平面図、（Ｂ）はタンクステーが取付けられた補助ステップの側面図である。
【符号の説明】
【００２４】
１      走行機体
３      植付作業機
７      予備苗供給コンベア
１２    中間コンベア
１３    前側コンベア
１４    後側コンベア
１５    機体カバー
１６    座席
１７    補助ステップ
１８    主肥料タンク
１９    補助肥料タンク
１９ａ  肥料供給口
【図１】
2008173029.tif 000003
【図２】
2008173029.tif 000004
【図３】
2008173029.tif 000005
【図４】
2008173029.tif 000006
【図５】
2008173029.tif 000007
【図６】
2008173029.tif 000008
【図７】
2008173029.tif 000009
【図８】
2008173029.tif 000010
【図９】
2008173029.tif 000011
【図１０】
2008173029.tif 000012
【図１１】
2008173029.tif 000013